(57)【要約】      （修正有）【課題】杭を使用せずに擁壁を確実に拘束できる補強土壁構造及び補強土壁工法を提供する。【解決手段】壁面材を積層させて擁壁１を形成し、擁壁１により土壁Ｇを補強する補強土壁構造であって、壁面材は、複数の略帯状をなす帯部材が所定間隔毎に接合されて形成され、帯部材同士の非接合部位が互いに離間されることで土砂を拘束する土砂拘束部を形成できるジオセルで構成され、表面側にジオセルを上下に積層して形成される第１壁部３と、第１壁部の後部側にジオセルを上下に離間して配設される第２壁部４と、を備える【選択図】図１
2017193927.tif 000002
【特許請求の範囲】
【請求項１】
壁面材を積層させて擁壁を形成し、該擁壁により土壁を補強する補強土壁構造であって、
前記壁面材は、複数の略帯状をなす帯部材が所定間隔毎に接合されて形成され、該帯部材同士の非接合部位が互いに離間されることで土砂を拘束する土砂拘束部を形成できるジオセルで構成され、
表面側にジオセルを上下に積層して形成される第１壁部と、
前記第１壁部の後部側にジオセルを上下に離間して配設される第２壁部と、を備えることを特徴とする補強土壁構造。
【請求項２】
前記第１壁部を構成するジオセルと、前記第２壁部を構成するジオセルとは、別体であることを特徴とする請求項１に記載の補強土壁構造。
【請求項３】
前記第１壁部を構成するジオセルと、前記第２壁部を構成するジオセルとは、同一規格のジオセルであることを特徴とする請求項１または２に記載の補強土壁構造。
【請求項４】
前記第２壁部の後部側には、ジオセルを上下に離間して配設される第３壁部を備えることを特徴とする請求項１ないし３のいずれかに記載の補強土壁構造。
【請求項５】
壁面材を積層させて擁壁を形成し、該擁壁により土壁を補強する補強土壁工法であって、
前記壁面材は、複数の略帯状をなす帯部材が所定間隔毎に接合されて形成され、該帯部材同士の非接合部位が互いに離間されることで土砂を拘束する土砂拘束部を形成できるジオセルで構成され、
表面側にジオセルを上下に積層して第１壁部を形成する第１工程と、
前記第１工程の一部において、前記第１壁部の後部側に第２壁部を付加する第２工程を備えることを特徴とする補強土壁工法。
【請求項６】
前記第１壁部を構成するジオセルと、前記第２壁部を構成するジオセルとは、別体に形成されることを特徴とする請求項５に記載の補強土壁工法。
【請求項７】
前記第１壁部を構成するジオセルと、前記第２壁部を構成するジオセルとは、同一規格のジオセルであることを特徴とする請求項６に記載の補強土壁工法。
【発明の詳細な説明】
【技術分野】
【０００１】
本発明は、壁面材を積層させて擁壁を形成し、該擁壁により土壁を補強する補強土壁構造及び補強土壁工法に関する。
【背景技術】
【０００２】
従来、道路や敷地などに面している土壁に擁壁を形成して補強する補強土壁構造が用いられている。この補強土壁構造は、複数の略帯状をなす帯部材が所定間隔毎に接合されて形成され、該帯部材同士の非接合部位が互いに離間されることで土砂を拘束するセルを有するハニカム状立体補強材（ジオセル）に土砂等を充填してハニカム構造体を形成する。そして土砂等を充填したハニカム構造体を積層した後、該積層したハニカム構造体の上面から杭を打ち込みハニカム構造体を一体化して擁壁を構成し、該擁壁により土壁を補強するものである。（たとえば、特許文献１参照。）
【０００３】
また、擁壁の強さを増す方法として、前後方向のセル数を増した長尺のハニカム状立体補強材（ジオセル）を使用することで、擁壁の前後方向の厚さを増して、土壁を補強する方法がある。
【先行技術文献】
【特許文献】
【０００４】
【特許文献１】特開２００８−１３８４４６号公報（第８頁、図５、図６）
【発明の概要】
【発明が解決しようとする課題】
【０００５】
特許文献１に記載の補強土壁構造にあっては、杭を打ち込んでハニカム構造体を一体にすることにより擁壁を構築するものである。しかしながら、擁壁の背面からの土圧を保持するためには、長尺の杭を多数打ち込む必要あり、多大な時間とコストを必要としていた。
【０００６】
また、前後方向のセル数を増した長尺のハニカム構造体を使用して、厚い擁壁を構成する場合には、長尺のハニカム構造体を準備する必要がある。長尺のハニカム構造体は入手が困難であり、また厚い擁壁を構成するためには、ハニカム構造体（ジオセル）の使用量も多くなりコストが嵩むという問題がある。
【０００７】
本発明は、このような問題点に着目してなされたもので、杭を使用せずに、低コストで強固な擁壁を構築できる補強土壁構造及び補強土壁工法を提供することを目的とする。
【課題を解決するための手段】
【０００８】
前記課題を解決するために、本発明の補強土壁構造は、
壁面材を積層させて擁壁を形成し、該擁壁により土壁を補強する補強土壁構造であって、
前記壁面材は、複数の略帯状をなす帯部材が所定間隔毎に接合されて形成され、該帯部材同士の非接合部位が互いに離間されることで土砂を拘束する土砂拘束部を形成できるジオセルで構成され、
表面側にジオセルを上下に積層して形成される第１壁部と、
前記第１壁部の後部側にジオセルを上下に離間して配設される第２壁部と、を備えることを特徴としている。
この特徴によれば、第１壁部の後部側にジオセルを上下に離間して配設される第２壁部が疑似的な水平方向の杭として作用するので、積層して形成される第１壁部が支持され強固な擁壁を構築できる。
【０００９】
本発明の補強土壁構造は、
前記第１壁部を構成するジオセルと、前記第２壁部を構成するジオセルとは、別体であることを特徴としている。
この特徴によれば、前後方向に長尺のジオセルを用意することなく、強固な擁壁を構築できる。
【００１０】
本発明の補強土壁構造は、
前記第１壁部を構成するジオセルと、前記第２壁部を構成するジオセルとは、同一規格のジオセルであることを特徴としている。
この特徴によれば、同一規格のジオセルを利用して擁壁の前後方向の補強長さ変えることができるので、コストを低減できる。
【００１１】
本発明の補強土壁構造は、
前記第２壁部の後部側には、ジオセルを上下に離間して配設される第３壁部を備えることを特徴としている。
この特徴によれば、第３壁部により擁壁をさらに強固にできる。
【００１２】
本発明の補強土壁工法は、
壁面材を積層させて擁壁を形成し、該擁壁により土壁を補強する補強土壁工法であって、
前記壁面材は、複数の略帯状をなす帯部材が所定間隔毎に接合されて形成され、該帯部材同士の非接合部位が互いに離間されることで土砂を拘束する土砂拘束部を形成できるジオセルで構成され、
表面側にジオセルを上下に積層して第１壁部を形成する第１工程と、
前記第１工程の一部において、前記第１壁部の後部側に第２壁部を付加する第２工程を備えることを特徴としている。
この特徴によれば、第２工程により形成される第２壁部が疑似的な水平方向の杭として作用するので、第１壁部は、第２壁部によって支持され強固な擁壁を構築できる。
【００１３】
本発明の補強土壁工法は、
前記第１壁部を構成するジオセルと、前記第２壁部を構成するジオセルとは、別体に形成されることを特徴としている。
この特徴によれば、前後方向に長尺のジオセルを用意することなく、前後方向に長尺の擁壁を構築できる。
【００１４】
本発明の補強土壁工法は、
前記第１壁部を構成するジオセルと、前記第２壁部を構成するジオセルとは、同一規格のジオセルであることを特徴としている。
この特徴によれば、同一規格のジオセルを利用して擁壁の前後方向の補強長さ変えることができる。
【図面の簡単な説明】
【００１５】
【図１】本発明における擁壁を示す断面図である。
【図２】ジオセルを示す斜視図である。
【図３】ジオセル構造体を積層した状態を示す斜視図である。
【図４】擁壁を示す断面図である。
【図５】変形例における擁壁を示す断面図である。
【図６】変形例におけるジオセルの一部拡大図である。
【発明を実施するための形態】
【００１６】
本発明に係る補強土壁構造及び補強土壁工法を実施するための形態を実施例に基づいて以下に説明する。
【００１７】
本発明に係る補強土壁工法及び壁面材につき、図１から図６を参照して説明する。以下、図１及び図４の紙面左側を擁壁の正面側（前側）とし、図２及び図３の紙面左下側を擁壁の正面側（前側）として説明する。
【００１８】
図１の符号１は、本発明の適用された擁壁である。この擁壁１は、道路や敷地などに面している土壁Ｇの正面全体を覆うことによって土壁Ｇを補強するものである。この擁壁１は、擁壁１の壁面を形成する本発明の壁面材としての第１壁部を形成する前側ジオセル２と、第２壁部を形成する後側ジオセル２’と、を用いて施工される。
【００１９】
図２に示されるように、前側ジオセル２は、合成樹脂等の可撓性を有する材料で形成された複数枚の略帯状をなす帯部材５により構成されている。本実施例では、前後方向に６枚の帯部材５が設けられ、これらの帯部材５がその幅方向が垂直を向くように配置されており、互いに帯部材５が積層配置された状態で、その長手方向の所定間隔毎に接合されている。この接合部位は、圧力を加えながら溶着（若しくは圧着）される溶着部６（圧着部）となっている。
【００２０】
前側ジオセル２の正面側の１枚の帯部材５は、土の色と同系色の茶系の色合いに着色されているとともに、その他の帯部材５は、黒系の色合いに着色されている。なお、前側ジオセル２の色合いは施工現場に合わせて適宜変更してもよい。また、この前側ジオセル２を前後方向に広げると、帯部材５同士の非接合部位が互いに離間されることで土砂を拘束する土砂拘束部７を形成できる。この土砂拘束部７は、千鳥状またはハニカム状に配置されるようになっている。この土砂拘束部７内に、土砂を入れて締め固め（図３参照）前側ジオセル構造体３とし、前側ジオセル構造体３を上下に積層して層構造に形成できるようになっている。
【００２１】
この前側ジオセル２の帯部材５には、複数の小さな貫通孔８が形成されており、互いの土砂拘束部７が貫通孔８により連通される。なお、正面側の１枚の帯部材５には、貫通孔８は形成されておらず、土砂拘束部７内の土砂が流出しないようになっている。また、前側ジオセル２は、可撓性を有することで巻回してコンパクトにまとめた状態で搬送できるとともに、施工現場にて現状に適した長さに切断することもできる。なお、後側ジオセル２’も、前側ジオセル２と同寸法の帯部材５を互いに積層し、前側ジオセル２と同じ長手方向の間隔で接合された、同一規格のジオセルである。なお、以下に説明する図１、図４、図５の擁壁１において、最下層と最上層に前側ジオセル構造体３と後側ジオセル構造体４とを組合わせて配置しているが、擁壁１の高さ、地形等の条件により省略可能であり、必須の構成ではない。
【００２２】
図３に示されるように、施工する際には、前側ジオセル２の土砂拘束部７内に土砂を入れて締め固め前側ジオセル構造体３とし、該前側ジオセル構造体３を上下に積層させる。また、積層される前側ジオセル構造体３は、下方位置の前側ジオセル構造体３の土砂拘束部７に、上方位置の前側ジオセル構造体３の土砂拘束部７の少なくとも一部が被るように配置される。
【００２３】
詳しくは、図１及び３に示されるように、積層される前側ジオセル構造体３は、以下のように形成される。各前側ジオセル構造体３の前後方向に３つの土砂拘束部７が形成され、下方位置の前側ジオセル構造体３の最前の土砂拘束部７に、その上方位置の前側ジオセル構造体３の最前の土砂拘束部７の略半分程の領域が被さるようになっている。前側ジオセル構造体３を配置し、前側ジオセル構造体３と土壁Ｇとの間に盛土９を充填、押し固めて第１壁部の各段層が形成される。このように積層される前側ジオセル構造体３は、土砂拘束部７に拘束された土砂の自重によって、上方位置の前側ジオセル構造体３によって、下方位置の前側ジオセル構造体３が押し付けられ第１壁部が形成される。
【００２４】
つぎに、前側ジオセル構造体３と後側ジオセル構造体４との積層について説明する。図１及び３に示されるように、前側ジオセル構造体３を３段積層するとともに、前側ジオセル構造体３と土壁Ｇとの間の空間は盛土９が充填され、押し固められる。そして４段目の前側ジオセル構造体３が配設され、さらにその後部側には後側ジオセル構造体４が配設される。さらに、４段目の前側ジオセル構造体３とその後側に配設される後側ジオセル構造体４の上面には５段目の前側ジオセル構造体３がさらに積層される。すなわち、４段目の前側ジオセル構造体３の最前の土砂拘束部７の略半分より後部側の領域から後側ジオセル構造体４の最前部の土砂拘束部７までの上に、５段目の前側ジオセル構造体３が被さるように配設されるとともに、後部側の空間に盛土９が充填される。この工程を繰り返して、前側ジオセル構造体３の後側に後側ジオセル構造体４、４、…が上下に離間した状態で配設される。この離間して上下に配置された後側ジオセル構造体４と該後側ジオセル構造体４同士の間に充填された盛土９によって第２壁部が構成される。ここで、なお、前側ジオセル構造体３と後側ジオセル構造体４は、同じ規格のジオセル２、２’から構成されている。さらに、前側ジオセル構造体３と後側ジオセル構造体４は、クリップ等で接続して配設されていてもよいし、前側ジオセル構造体３と後側ジオセル構造体４との間に若干の隙間を設けて配置されていてもよい。
【００２５】
このように積層される前側ジオセル構造体３は、土砂拘束部７に拘束された土砂の自重によって、前側ジオセル構造体３同士が互いに押し付けられ一体の壁に構成される。そして、積層される前側ジオセル構造体３の後部側に後側ジオセル構造体４を配設することで、該後側ジオセル構造体４及び該後側ジオセル構造体４の周囲の盛土９が一体となって略水平方向の疑似的な杭として作用し、積層される前側ジオセル構造体３の高さ方向の途中位置が支持される。すなわち、図１において、積層される前側ジオセル構造体３の後方側に高さ方向の３カ所に互いに離間して配設された後側ジオセル構造体４が、疑似的な杭として作用するので、前側ジオセル構造体３は後部側の盛土９に疑似的に連結され、積層される前側ジオセル構造体３と後部側の盛土９とが一体となり、杭等を使用しないで強固な擁壁１を構築できる。
【００２６】
なお、前側ジオセル２の土砂拘束部７に入れる土砂には、施工現場で採取した土砂を用いる。そして、その土砂内に生息する植物１１の在来種が前側ジオセル２の土砂拘束部７内で自生するようになる。施工後において、所定期間経過すると、前側ジオセル２の土砂拘束部７内で成長した植物１１の根１２が、帯部材５の貫通孔８に入り込み（図５、図６参照）、帯部材５に絡みつくようになる。そして、この帯部材５に絡みついた植物１１の根１２が土中深くまで延びる。
【００２７】
このように、土砂拘束部７内に自生する植物１１の根１２が帯部材５の貫通孔８に絡みつき、前側ジオセル２と土砂との間の摩擦力を向上させるとともに、植物１１の根１２を介して前側ジオセル２同士や、前側ジオセル２と後側ジオセル２’とが連結され、擁壁１の強度を向上させることができる。
【００２８】
また、図６に示されるように、前側ジオセル２の帯部材５の表面には、エンボス加工が施され、微小な凹凸部１３（エンボス）が形成される。この微小な凹凸部１３が土砂拘束部７内の土砂と前側ジオセル２との間の摩擦力を向上させて、擁壁１の強度を向上させることができる。さらに、帯部材５の貫通孔８には、土砂が入り込むようになり、この貫通孔８が土砂拘束部７内の土砂と前側ジオセル２との間の摩擦力を向上させて、擁壁１の強度を向上させることができる。
【００２９】
さらに、図１に示されるように、少なくとも一つの後側ジオセル構造体４は、最下層の前記前側ジオセル構造体３の後側端部と最上層の後側ジオセル構造体４の後端部とを結んだ線Ｔと交差するように配設されることにより、後側ジオセル構造体４は互い押圧し合い、盛土９を介して一体となり、積層される前側ジオセル構造体３を保持することができる。
【００３０】
また、図４に示されるように、積層される前側ジオセル構造体３と該積層される前側ジオセル構造体３の直上に積層される後側ジオセル構造体４とから構成される積層ユニット２０、２１において、積層される前側ジオセル構造体３の最下層の前側端部と、積層される前側ジオセル構造体３の直上に積層される後側ジオセル構造体４の後端部とを結んだ線が、水平線となす角度θ１、θ２は、盛土９の内部摩擦角に略一致、あるいは小さくなるように設定される。このように、角度θ１、θ２を内部摩擦角に略一致、あるいは小さくなるように設定することにより、積層ユニット２０、２１ごとに第１壁部、第２壁部を安定して形成できる。そして、安定した第１壁部と第２壁部からなる擁壁１も全体として安定性を高めることができる。
【００３１】
このように、前側ジオセル構造体３の土砂拘束部７に土砂を拘束しつつ、前側ジオセル構造体３を積層して構成することで、前側ジオセル構造体３の土砂拘束部７に拘束された土砂の自重を利用して、前側ジオセル構造体３同士が互いに押し付けられ一体の壁として構成される。さらに、積層される前側ジオセル構造体３の後部側に後側ジオセル構造体４を配設することで、該後側ジオセル構造体４及び該後側ジオセル構造体４の周囲の盛土９が一体となって疑似的な杭として作用し、積層される前側ジオセル構造体３の高さ方向の途中位置が支持される。その結果、擁壁１の壁面から土壁Ｇまでの背面距離Ｌ（図１参照）を小さくすることができるようになり、擁壁１の施工コストを低減させることができる。なお、擁壁１の背面距離Ｌが小さいことで、擁壁１の形成対象となっている土壁Ｇの正面を深く掘る必要がなくなり、施工期間を短縮することもできる。また、アンカーなどの別途の連結部材等を用いることなく、ジオセル構造体の積層作業のみで擁壁を構築できるので、施工作業が簡素化されるとともに、コストを低減できる。
【００３２】
以上、本発明の実施例を図面により説明してきたが、具体的な構成はこれら実施例に限られるものではなく、本発明の要旨を逸脱しない範囲における変更や追加があっても本発明に含まれる。
【００３３】
たとえば、前記実施例では、前側ジオセル２と後側ジオセル２’は、同寸法の帯部材５を互いに積層し、前側ジオセル２の接合間隔と同じ間隔で接合される同一規格のジオセルであった。しかし、前側ジオセル２と後側ジオセル２’とは、異なる寸法の帯部材５を互いに積層して、接合した異なる規格のジオセルを使用してもよい。後側ジオセル２’の前後方向のセル数をさらに増した長尺のジオセルを使用することにより前側ジオセル構造体３の拘束力を増すことができる。
【００３４】
前記実施例では、前側ジオセル２と後側ジオセル２’とは、別体に構成されていたが、一体に構成されたものを使用してもよい。
【００３５】
また、前記実施例では、前側ジオセル２、後側ジオセル２’の土砂拘束部７が千鳥状またはハニカム状に配置されるようになっているが、前側ジオセル２、後側ジオセル２’の土砂拘束部７の配置はこれに限ることなく、格子状に配置されたり、他の配置形態であったりしてもよい。
【００３６】
前記実施例では、前側ジオセル２、後側ジオセル２’の土砂拘束部７内に、施工現場で採取した土砂を入れることで、その土砂内に生息する植物１１の在来種が前側ジオセル２、後側ジオセル２’の土砂拘束部７内で自生するようになっているが、土砂拘束部７に自生させる植物１１は在来種に限らず、他の種類の植物を植えてもよい。
【００３７】
また、前記実施例では、４段目の前側ジオセル構造体３の後部側に後側ジオセル構造体４を配設し、さらに５段目から７段目に前側ジオセル構造体３を積層して、７段目の前側ジオセル構造体３の後側に後側ジオセル構造体４を配置していた。しかし、後側ジオセル構造体４の配置は、これに限らず、前側ジオセル構造体３の段数と後側ジオセル構造体４の設置数は、擁壁の高さ、盛土の種類に応じて、決定することができる。
【００３８】
さらに、前記実施例の擁壁１では、前側ジオセル構造体３と後側ジオセル構造体４の２列構成であったが、これに限らず３列構成としてもよい。３列のジオセルは、それぞれ同じ規格のジオセルを使用してもよいし、それぞれ異なった規格のジオセルを使用してもよいし、さらに３列のうち２列を同じ規格のジオセルを使用してもよい。なお、３列以上のジオセル構造体を配設して構成してもよい。
【符号の説明】
【００３９】
１                擁壁
２                前側ジオセル（壁面材）
２’              後側ジオセル（壁面材）
３                前側ジオセル構造体（第１壁部）
４                後側ジオセル構造体（第２壁部）
５                帯部材
６                溶着部
７                土砂拘束部
８                貫通孔
９                盛土
１０              段層
１１              植物
１２              根
１３              凹凸部
１４              櫛状部
Ｇ                土壁
【図１】
2017193927.tif 000003
【図２】
2017193927.tif 000004
【図３】
2017193927.tif 000005
【図４】
2017193927.tif 000006
【図５】
2017193927.tif 000007
【図６】
2017193927.tif 000008